(57)【要約】      （修正有）【課題】泡柱を加熱しつつ該泡柱を照明する方式の宗教行事用照明具において、電力の消費を抑え、光源の交換頻度を少なくすることができる宗教行事用照明具を提供する。【解決手段】本考案に係る宗教行事用照明具は、基台２と、前記基台２の上に立設された、低沸点液体が封入された透明管から成る泡柱３１と、前記基台２に設けられた、前記泡柱３１を下方から照明するＬＥＤ電球と、前記泡柱３１の基部の外周に接触するように前記基台に設けられたフィルム状のヒータとを有する。ヒータ及びＬＥＤ電球に電力が供給されると、泡柱３１が加熱されて気泡が発生し、これにＬＥＤ電球からの光が当たって、蝋燭の火のように揺らめく光が得られる。【選択図】図１
0003206439.tif 000002
【実用新案登録請求の範囲】
【請求項１】
a) 基台と、
b) 前記基台の上に立設された、低沸点液体が封入された透明管から成る泡柱と、
c) 前記基台に設けられた、前記泡柱を下方から照明するＬＥＤ（Light Emitting Diode）光源と、
d) 前記泡柱の基部の外周に接触するように前記基台に設けられたフィルム状のヒータと
を有することを特徴とする宗教行事用照明具。
【請求項２】
前記透明管内の下部にメッシュ部材が配置されていることを特徴とする請求項１に記載の宗教行事用照明具。
【請求項３】
前記ＬＥＤ光源が、光の色と強度の少なくとも一方が自動的に変化することを特徴とする請求項１又は２に記載の宗教行事用照明具。
【考案の詳細な説明】
【技術分野】
【０００１】
本考案は、葬儀葬祭等の宗教行事で用いられる法要灯、仏灯、提灯等の照明具に関する。
【背景技術】
【０００２】
仏教では、故人が亡くなってから四十九日目（中陰法要、忌明）に至るまで、七日毎に追善供養を行う。その際、仏壇の左右に法要灯等の灯りを立てることが行われる。
【０００３】
従来、葬儀葬祭等の宗教行事で用いられる法要灯等の灯りの光源には、蝋燭が用いられていた。しかし、火災の危険性があることから、近年では、蝋燭の代わりに電球が用いられることが多い。その一方で、電球では、蝋燭の火のような自然な光の変化（揺らめき）を表現することが難しい。そこで、例えば特許文献１のような宗教行事用の照明具が提供されている。
【０００４】
特許文献１の照明具は、白熱電球を備える基台と、前記基台に起立保持された泡柱とを有するものである。この泡柱は透明管と、その中に封入された低沸点の透明な液体から成る。この照明具では、白熱電球を点灯すると、該白熱電球から発生する熱が基台を通して泡柱に伝わる。この熱によって泡柱内部の液体の温度が沸点以上になり、液体中に気泡が発生し、透明管内部を上昇していく。この気泡の上昇過程での揺らぎにより、下方の白熱電球からの光が蝋燭の火のように揺らめいて変化する。
【先行技術文献】
【特許文献】
【０００５】
【特許文献１】実開平1-117003号公報
【考案の概要】
【考案が解決しようとする課題】
【０００６】
葬儀後は前記のとおり七日毎に追善法要が行われ、祭壇が設けられるが、法要灯等の照明具は七日毎に限らず、中陰法要の四十九日までずっと点灯され続けることが多い。また葬祭においてはお盆等の一定期間に亘って飾られる。そうすると、特許文献１の宗教行事用照明具においても、長期間、白熱電球が点灯され続けることになるが、白熱電球は電力を多量に消費する上に、一般的に寿命が短いため、途中で交換しなければならないという問題があった。
【０００７】
本考案が解決しようとする課題は、泡柱を加熱しつつ該泡柱を照明する方式の宗教行事用照明具において、電力の消費を抑えることと、光源の交換頻度を少なくすることである。
【課題を解決するための手段】
【０００８】
上記課題を解決するために成された本考案に係る宗教行事用照明具は、
a) 基台と、
b) 前記基台の上に立設された、低沸点液体が封入された透明管から成る泡柱と、
c) 前記基台に設けられた、前記泡柱を下方から照明するＬＥＤ（Light Emitting Diode）光源と、
d) 前記泡柱の基部の外周に接触するように前記基台に設けられたフィルム状のヒータと
を有することを特徴とする。
【０００９】
本考案に係る宗教行事用照明具では、フィルム状のヒータによって泡柱の基部が加熱され、泡柱の内部の低沸点液体が沸点以上の温度になると気泡が発生し、揺らぎながら透明管内を上昇する。その状態でＬＥＤ光源からの光が下方から泡柱に照射されることにより、該ＬＥＤ光源の光が蝋燭の火のように揺らめく。このとき、フィルム状のヒータは泡柱の基部に接触しており該ヒータの熱が直接的に泡柱に伝達される。従って、本考案に係る宗教行事用照明具は、泡柱とは非接触で配置された白熱電球から発生する熱が基台を介して泡柱に伝達される従来の宗教行事用照明具に比べると、ヒータの熱が無駄になることがないため、低出力のヒータを用いることができる。また、低出力のヒータを用いても、泡柱の温度を早期に上昇させることができる。さらに、ＬＥＤ電球は白熱電球に比べると寿命が長いため、長期間点灯した状態を維持することができる。
【００１０】
上記宗教行事用照明具においては、前記透明管内の下部に、メッシュ部材が配置されていることが好ましい。
この構成によれば、メッシュ部材が気泡の核として作用するため、低沸点液体が沸点に達したときに速やかに気泡を発生させることができる。前記メッシュ部材としては、金属等の熱容量の小さい材料を用いることが好ましい。これにより、メッシュ部材がヒータの加熱により速やかに温度が上昇し、それに接触する低沸点液体の早期の沸騰を促すことができる。
【００１１】
また、前記ＬＥＤ光源がその発光色及び強度の少なくとも一方が変化可能であると、蝋燭の火では出すことのできない幽玄な光の変化を出すことが可能となる。
【考案の効果】
【００１２】
本考案に係る宗教行事用照明具では、フィルム状のヒータを泡柱の基部の外周に接触させて該ヒータで泡柱を直接的に加熱し、ＬＥＤ光源で泡柱を照明するようにしたため、長期間点灯させた場合でも、電力の消費を抑えることができるとともに光源の交換頻度を少なくすることができる。
【図面の簡単な説明】
【００１３】
【図１】本考案に係る宗教行事用照明具の一実施例である法要灯の外観図。
【図２】支持台に泡柱が立設された様子を示す斜視図(a)、及び泡柱の外観図(b)。
【図３】支持台の上面図(a)、蓋部が取り外された支持台の上面図(b)、フィルム状のヒータの正面図(c)、ＬＥＤ電球の正面図(d)。
【考案を実施するための形態】
【００１４】
本考案に係る宗教行事用照明具の具体的な実施例について図面を参照しながら説明する。
【００１５】
図１は、本考案の一実施例に係る法要灯の正面図である。この法要灯１００は、本体部１と、該本体部１を支える基台２と、を備える。本体部１は、透明アクリル樹脂で構成される円筒状の筒体１１と、屋根１２と、筒体１１の周りに取り付けられた各種の装飾部品１３を有している。また、筒体１１の内部には、複数本（図１では３本）の泡柱３１と造花等の装飾部材３２が収容されている。図２(a)に示すように、泡柱３１及び装飾部材３２は基台２の上面に配置された台座２１に立設されている。
【００１６】
図２(b)に示すように、泡柱３１は、ガラス製の透明管３１１と、その内部に封入されたアルコール等の低沸点液体３１２と、該透明管３１１内の下部に配置されたメッシュ部材３１３から構成されている。メッシュ部材３１３は、低沸点液体３１２が沸点に達したときに速やかに気泡を発生させるための、気泡の核として作用する。メッシュ部材３１３としては、アルミニウムや銅といった金属等の熱容量の小さい材料を用いることが望ましい。これにより、メッシュ部材３１３はヒータ３３の加熱により速やかに温度が上昇し、それに接触する低沸点液体３１２の早期の沸騰を促す。
【００１７】
図２(a)及び図３(a)、(b)に示すように、台座２１は、円環状の装飾支持部２２とその中央の照明部２３から構成されている。装飾支持部２２には、装飾部材３２を取り付けるための穴部２２１が複数設けられている。照明部２３は装飾支持部２２の中央に該支持部２２と一体的に設けられた円筒状部２３１と、該円筒状部２３１に被せられる円筒状の蓋部２３２から構成されている。
【００１８】
円筒状部２３１の内周面には３個のＣ字状の保持部２３１１が該円筒状部２３１と一体的に形成されている。また、円筒状部２３１の内底面の中央にはソケット２３１２が固定されている。一方、蓋部２３２には保持部２３１１に対応する３個の小孔部２３２１と、ソケット２３１２に対応する１個の大孔部２３２２が形成されている。
【００１９】
３個の保持部２３１１には、それぞれヒータ３３が該保持部２３１１の内面に沿って配置されている。図３(c)に示すように、ヒータ３３は、可撓性を有する矩形状のフィルム内に電熱線が埋め込まれた構成を有している。蓋部２３２を円筒状部２３１に被せた状態で小孔部２３２１に泡柱３１の基部を挿入すると、該基部が保持部２３１１に保持される。このとき、保持部２３１１に配置されたヒータ３３が泡柱３１の基部の外周面に接触する（図２(b)参照）。
【００２０】
また、ソケット２３１２にはＬＥＤ光源としてのＬＥＤ電球３４が取り付けられるようになっている。図３(d)に示すように、ＬＥＤ電球３４は口金部３４Ａと電球部３４Ｂから成る。ＬＥＤ電球３４の口金部３４Ａをソケット２３１２に取り付けた後、保持部２３１１と小孔部２３２１の位置を合わせて円筒状部２３１に蓋部２３２を被せると、ＬＥＤ電球３４の電球部３４Ｂの一部が大孔部２３２２を通して蓋部２３２から突出する。
【００２１】
ＬＥＤ電球３４は、赤、青、黄色の光を発する計３種のＬＥＤチップ（図示せず）を備えており、各ＬＥＤチップの光の強度が互いに異なる周期で自動的に変化することにより、ＬＥＤ電球３４が発する光の色及び強度が種々に変化するように構成されている。光の色及び強度が種々に変化する周期は一定でも良く、ランダムでも良い。また、光の色が変化する周期と光の強度が変化する周期は同じでも良く、異ならせても良い。光の色及び強度が変化する周期をランダムにすると、法要灯１００から発せられる光を、揺らめきながら光る蝋燭の火のようにすることができる。
【００２２】
なお図示しないが、本実施例の法要灯１００は上述したほかにＬＥＤ電球用及びヒータ用の電源回路、商用電源からの入力電流を交流から直流に変換するための整流回路、出力電圧を安定化するための電圧調節回路等を備えている。これらの回路は基台２内に収容されている。
【００２３】
上記法要灯１００では、配線コード４０からＬＥＤ電球３４に電力が供給されることにより、ＬＥＤ電球３４が点灯すると、その光は下方から泡柱３１に照射される。また、配線コード４１からヒータ３３に電力が供給されることにより該ヒータ３３が発熱すると、その熱は泡柱３１の基部からメッシュ部材３１３を経て低沸点液体３１２に伝導され、該低沸点液体３１２が加熱される。そして、低沸点液体３１２が沸点に達すると気泡が発生し、低沸点液体３１２内を上昇する。このとき、ＬＥＤ電球３４から泡柱３１内に照射された光は、低沸点液体３１２内を上昇する気泡に反射されて様々な方向に拡散され、泡柱３１の周囲に柔らかい光を放つ。また、気泡の上昇に伴い、ＬＥＤ電球３４からの光が反射される位置が変化するため、反射光が蝋燭の火のように揺らめく。
【００２４】
また、ＬＥＤ電球３４の光の色及び強度が所定の周期で変化するため、蝋燭の光では出すことができない、複雑で且つ幻想的な光を表現することができる。
しかも、本実施例の法要灯では、光源としてＬＥＤ電球３４を用いたため、光源の交換頻度を少なくすることができる。さらに、光源を白熱電球からＬＥＤ電球に代えたことにより、泡柱３１を加熱するためのヒータが必要になったが、泡柱３１の基部の外周面に接触して泡柱３１を直接加熱するフィルム状のヒータ３３を採用したため、低出力のヒータを用いても、早期に泡柱３１内の低沸点液体３１２の温度を早期に上昇させることができ、電力の消費を少なく抑えることができる。
【００２５】
なお、本考案は上述の実施例に限定されるものではなく、本考案の趣旨を逸脱しない範囲で種々の変更が可能である。
例えば、泡柱は１個又は２個でも良く、４個以上でも良い。
ＬＥＤ電球は１個に限らず複数設けても良い。また、複数の泡柱の基部にそれぞれ１個ずつＬＥＤ電球を設けても良い。さらに、複数のＬＥＤ電球を設ける場合、それぞれが異なる周期で光の色及び強度が変化するようにしても良い。
本考案は、葬儀葬祭に用いられる法要灯に限らず、仏灯、提灯等、様々な宗教行事に使用される照明具全般に適用可能である。
【符号の説明】
【００２６】
１…本体部
１１…筒体
１２…屋根
１３…装飾部
２…基台
２１…台座
２２…装飾支持部
２３…照明部
２３１…円筒状部
２３１１…保持部
２３１２…ソケット
２３２…蓋部
２３２１…小孔部
２３２２…大孔部
３１…泡柱
３１１…透明管
３１２…低沸点液体
３１３…メッシュ部材（熱伝導部材）
３３…ヒータ
３４…ＬＥＤ電球
１００…法要灯
【図１】
0003206439.tif 000003
【図２】
0003206439.tif 000004
【図３】
0003206439.tif 000005